(57)【要約】【課題】被計測物である息（混合気体）の臭気により、被計測者の薬等の使用の判別を可能にすることを目的とする。【解決手段】木質炭化物の成形体５に電圧を加え、被計測者の被計測物である息、すなわち混合気体の臭気をその木質炭化物の成形体５へ接触させ（吹きかけ）、木質炭化物の成形体５から得られる信号をコンピューター６の制御により、抽出し、電流値に変換して、電流計４へ表示することを可能にするとともに、電流値に変換した信号を、コンピューター６を介してプリンター７へ送り出力することを可能にし、被計測物である息、すなわち混合気体の臭気の電気特性を得ることができる混合気体の臭気の計測装置及び計測方法を提供する。【選択図】  図１
2005049168.tif 000002
【特許請求の範囲】
【請求項１】
木質炭化物の成形体に電圧を加える手段と、
前記電圧を変化させるための可変抵抗を制御する手段と、
混合気体の臭気と前記木質炭化物の前記成形体とを接触させるための手段と、
前記電圧が加えられた前記木質炭化物の前記成形体から得られる信号を抽出する手段と、
前記信号を出力するための手段と、を備えることを特徴とする混合気体の臭気の計測装置。
【請求項２】
木質炭化物の成形体に電圧を加える工程と、
前記電圧を変化させるために可変抵抗を制御する工程と、
混合気体の臭気と前記木質炭化物の前記成形体とを接触させる工程と、
前記電圧が加えられている前記木質炭化物の前記成形体を計測する工程と、
前記電圧が加えられている前記木質炭化物の前記成形体を計測することで得られる、信号を抽出する工程と、
前記信号を出力する工程と、を備えることを特徴とする混合気体の臭気の計測方法。
【発明の詳細な説明】
【０００１】
【発明の属する技術分野】
本発明は、被計測物である息、すなわち混合気体である息の臭気を木質炭化物の成形体に反応させる（接触させる）ことにより、混合気体である臭気の電気特性を出力するための混合気体の臭気の計測装置及び計測方法に関する。
【０００２】
【従来の技術】
最近、健康管理、或いは衛生意識の高まりから人の口から発する息の臭い（口臭）に対する関心が大いに高まっている。特に、口臭は自分自身が気付かずに回りにいる他人へ不快感等の影響を及ぼすものとして、大きな注意が払われるものである。そして、その口臭の度合いを測定するために、口臭測定器が多数市販されている。その口臭測定装置でも、持ち運びができてどこでも簡便に口臭を測定できるものもある。例えば、図４に示すように、人の息である混合気体が計測口に直接吹き込まれるとその混合気体の臭気の臭度（臭いの強さ）が表示されるようになっているものもある。
【０００３】
図４に示す口臭測定器１００は、この口臭測定器１００が測定可能状態であるか否かを文字または図形（１０５）で表示することになる。そして、測定可能状態になったところで息を吹き込むと、その息の臭度が文字または図形（１０１、１０２、１０３）で表示されることになる。従って、臭度が容易に理解できるとともに、使用し易い機構をなしている（特許文献１参照）。
【０００４】
【特許文献１】
実開平５−２８３２４号公報（段落００１１、図１）
【０００５】
【発明が解決しようとする課題】
しかしながら、上記ような一般の口臭測定器は口臭の臭度を測定するに止まり、例えば、薬等を常用している者の口臭を測定することにより見つけだすことは難しい。特に、昨今、麻薬類の常用者の数が急激に伸びており、大きな社会問題としてクローズアップされてきている。麻薬類の常用者をなくしてくためには、社会の法律的な対策が急務である。そのためにも、麻薬類の常用者をいち早く見つけていくということが必要である。しかしながら、麻薬類の常用者を見つけていくことは容易なことではなく、特に、即座に麻薬類の常用者であると判断することは困難を極める。
【０００６】
特に、現在、一般に行われている麻薬類の取締では、麻薬類の常用者を見つけていくというよりは、麻薬類が麻薬類の常用者の手に渡らないようにするための措置を講じている。それが、空港等において活躍している麻薬探知犬である。この麻薬探知犬は、人間の数万倍といわれる嗅覚と、獲物を攻撃し、獲得、独占しようとする犬の本能を利用し、麻薬類の僅かな臭いでも見つけだす本能を身につけさせた犬であり、この嗅覚を利用して麻薬類の密輸を摘発するものである。しかしながら、このような麻薬類の密輸を摘発しても既に麻薬類の常用となっている者を見つけて行くことはできず、麻薬類の濫用を根絶していくことは難しい。
【０００７】
本発明は、上記の事情に鑑みなされたものであり、麻薬類等の薬の濫用の根絶の一助となるように、被計測者の被計測物である息の臭気、すなわち混合気体である息の臭気により、麻薬類等の薬の使用を判明させる混合気体の臭気の計測装置及び計測方法を提供することを目的とする。
【０００８】
【課題を解決するための手段】
上記の目的を達成するために、請求項１に記載の発明は、木質炭化物の成形体に電圧を加える手段と、前記電圧を変化させるための可変抵抗を制御する手段と、混合気体の臭気と前記木質炭化物の前記成形体とを接触させるための手段と、前記電圧が加えられた前記木質炭化物の前記成形体から得られる信号を抽出する手段と、前記信号を出力するための手段と、を備えることを特徴とする。
【０００９】
従って、請求項１に記載の発明によれば、木質炭化物の成形体に電圧を加える手段を備えることで、木質炭化物の成形体内の高分子に刺激を与え易くし、電圧を加えた状態で混合気体の臭気と木質炭化物の成形体とを接触させると、混合気体の臭気が木質炭化物の成形体と反応し、木質炭化物の成形体内の高分子の運動をさかんにさせ、その高分子の運動を信号として出力し、混合気体の臭気を信号として得ることが可能になる。
【００１０】
また、請求項２に記載の発明は、木質炭化物の成形体に電圧を加える工程と、前記電圧を変化させるために可変抵抗を制御する工程と、混合気体の臭気と前記木質炭化物の前記成形体とを接触させる工程と、前記電圧が加えられている前記木質炭化物の前記成形体を計測する工程と、前記電圧が加えられている前記木質炭化物の前記成形体を計測することで得られる、信号を抽出する工程と、前記信号を出力する工程と、を備えることを特徴とする。
【００１１】
従って、請求項２に記載の発明によれば、木質炭化物の成形体に電圧を加え、可変抵抗を制御しながら電圧を調整し、被計測物である混合気体の臭気を木質炭化物の成形体に接触させ、電圧が加えられたその木質炭化物の成形体から得られる、計測された信号を抽出し、その信号を出力することが可能になる。
【００１２】
【発明の実施の形態】
以下、本発明の実施の形態について図面を参照して説明する。
【００１３】
本実施の形態における木質炭化物の成形体５とは、バイオマスである生物系有機資源の一種である木質原料を焼成して得られた焼成炭化物の粉末を原料とし、この粉末原料を容器等の型内に充填した状態で加圧し、粉末粒子間に通電し、高温にして焼結することで高分子を含ませた焼結炭である。
【００１４】
つぎに、この木質炭化物の成形体５を用いて、被計測者から排出される被測定物である息、すなわち混合気体の臭気の計測を行う回路図について説明する。被測定者の被測定物である息、すなわち混合気体の臭気と接触することになる木質炭化物の成形体５は、図１では、容器９内に収容されており、図２では、容器９に収納されない状態にある。図１と図２との相違はこのように木質炭化物の成形体５が容器９に収納されているか、収納されていないかだけである。そして、図１及び図２に示す回路１、１０では、木質炭化物の成形体５に電圧を加える手段としての電源２が設けられている。
【００１５】
電源２として１．５Ｖの電池が用いられており、この電源２である１．５Ｖの電池が木質炭化物の成形体５へ電圧が加えられるように接続されている。さらに、図１及び図２に示す回路１、１０には、木質炭化物の成形体５に加える電圧を変化させるために、２ＭΩまで変化させることが可能な可変抵抗器３が接続されている。その可変抵抗器３と木質炭化物の成形体５との間には、木質炭化物の成形体５から得られる、計測された被計測物である息、すなわち混合気体の臭気の信号を電流値として表示するための手段である電流計（アンメータ）４が接続されている。
【００１６】
そして、図１及び図２に示す回路１、１０の可変抵抗３等を制御するとともに、電圧が加えられた木質炭化物の成形体５から得られる、計測された被計測物である息、すなわち混合気体の臭気の信号を抽出し、電流値へ変換して出力手段へ送るための手段としてコンピューター６が電源２と木質炭化物の成形体５との間に設けられている。ただし、可変抵抗器３については手動で制御することも可能である。さらに、コンピューター６には出力手段である、木質炭化物の成形体５から得られる、計測された被計測物である息、すなわち混合気体の臭気の信号を電流値として出力するためのプリンター７が接続されている。また、電源２から可変抵抗器３、電流計（アンメータ）４、木質炭化物の成形体５、コンピューター６及びプリンター７への接続は、絶縁物質で被覆された導線８により、行っている。
【００１７】
つぎに、この回路１（回路１０）の動作を図３に示すプリンター７より出力されたグラフ図に基づいて説明する。この回路１（回路１０）の動作としては、まず、コンピューター６内の図示しないスイッチを「ＯＮ」にし、電源２からの電圧を木質炭化物の成形体５へ加わえる。このとき、コンピューター６の制御により、突入電流の発生を防止するために可変抵抗器３の抵抗値を「２ＭΩ」に設定した（制御した）状態で電源２の電圧を加える。そして、電流値が安定したところで可変抵抗器３の抵抗値を「０」に設定する（制御する）。そうすると、図３に示すように、可変抵抗器３の抵抗値を「０」にした状態で、木質炭化物の成形体５へ電圧が加えられた時点が「Ａ」の状態となり、この状態で暫くの間、木質炭化物の成形体５へ電圧が加えられ続けて「Ｂ」の状態となる。この間（「Ａ」の状態から「Ｂ」の状態の間）は電流値が一定である。これは、木質炭化物の成形体５内の温度の変化がほとんどないため、電流値もほとんど変化しないためである。
【００１８】
このように、電圧を変化させるための可変抵抗器３を制御し、被計測物である息、すなわち混合気体の臭気を木質炭化物の成形体５で計測することになる。まず、可変抵抗器３の抵抗値が「０」で電流値が安定した後に、被計測物である息、すなわち混合気体の臭気と木質炭化物の成形体５とを接触させるための手段を用いて、被計測物である息、すなわち混合気体の臭気と木質炭化物の成形体５とを接触させる。一般的には、接触させる手段として容器９を用い、被計測物である息、すなわち混合気体の臭気と木質炭化物の成形体５とを接触させることになる。具体的には、被測定者の被測定物である息、すなわち混合気体の臭気を容器９に設けた孔９ａ等から予め容器９に注入し（図１に示す矢印方向から注入し）、被測定物である息、すなわち混合気体の臭気を充填しておき、その容器９内に設けられた（収納された）木質炭化物の成形体５と接触させることになる。
【００１９】
ただし、このように容器９に木質炭化物の成形体５を収納しない場合には、図２に示す回路１０のように、単に木質炭化物の成形体５へ被計測物である息、すなわち混合気体（の臭気）を吹きかける（図２に示す矢印方向から吹きかける）ことによって、木質炭化物の成形体５へ被計測物である息、すなわち混合気体の臭気を接触させることも可能である。ここで、「木質炭化物の成形体５へ被計測物である息、すなわち混合気体（の臭気）を吹きかけ」とは、被計測者の口から被計測物である息、すなわち混合気体の臭気を直接木質炭化物の成形体５へ吹きかける場合だけではなく、被計測物である息、すなわち混合気体の臭気を予め別の容器等に充填しておいて、その容器等に設けられた噴出器等を通じて、被計測物である息、すなわち混合気体の臭気を木質炭化物の成形体５へ吹きかけて（噴出させて）接触させる場合も含んでいる。
【００２０】
そして、図１に示す回路１では、容器９内に充填された被計測者の被計測物である息、すなわち混合気体の臭気が木質炭化物の成形体５へ接触することになる。また、図２に示す回路１０では、容器９を用いないので、木質炭化物の成形体５へ被計測物である息、すなわち混合気体（の臭気）を吹きかけることによって、木質炭化物の成形体５へ被計測物である息、すなわち混合気体の臭気を接触させることになる。このように被計測物である息、すなわち混合気体の臭気を木質炭化物の成形体５へ接触させることにより、木質炭化物の成形体５が臭気に反応する。具体的には、混合気体の臭気が木質炭化物の成形体５内の高分子を刺激し、高分子の運動（振動等）により電流値の上昇がはじめる。
【００２１】
このとき、図３に示すように、「Ｂ」の状態から急に「Ｃ」の状態へ変化する。さらに、容器９内の被計測者の被計測物である息、すなわち混合気体の臭気により、木質炭化物の成形体５内の温度が上昇することにより、木質炭化物の成形体５内の高分子の運動（振動等）もさかんになり電流が流れ易くなり、電流値も急に上昇したことも示している。そして、このように、図１に示す回路１では、木質炭化物の成形体５へ被測定者の被測定物である息、すなわち混合気体の臭気を接触させる状態が持続されることになる。また、図２に示す回路１０では、被測定者の被測定物である息、すなわち混合気体の臭気を吹きかける状態が持続されることになる。その結果、図３に示すように、「Ｃ」の状態から「Ｄ」の状態へと高い電流増加分を含んだ電流値が維持されることになる。
【００２２】
そして、図３に示す「Ｄ」の状態まで、木質炭化物の成形体５へ被測定者の被測定物である息、すなわち混合気体の臭気を接触させて、その後、接触を停止する。具体的には、図１に示す回路１では、「Ｄ」の状態まで容器９内に充填してあった被測定者の被測定物である息、すなわち混合気体の臭気を木質炭化物の成形体５に接触させておいて、その後、被測定者の被測定物である息、すなわち混合気体の臭気を容器９内から抜き、木質炭化物の成形体５への被測定者の被測定物である息、すなわち混合気体の臭気の接触を停止することになる。また、図２に示す回路１０では、「Ｄ」の状態まで、木質炭化物の成形体５へ被測定者の被測定物である息、すなわち混合気体の臭気を吹きかけて接触させ続けて、その後、吹きかけを停止し、木質炭化物の成形体５への被測定者の被測定物である息、すなわち混合気体の臭気の接触を停止することになる。
【００２３】
このように、図１に示す回路１では、容器９内での被測定物である息、すなわち混合気体の臭気と木質炭化物の成形体５との接触を停止する、また、図２に示す回路１０では、被測定者からの被測定物である息、すなわち混合気体の臭気の木質炭化物の成形体５への吹きかけを停止する。そのことにより、木質炭化物の成形体５内の温度が下降しはじめる。そうなると、図３に示すように、「Ｄ」の状態から急に「Ｅ」の状態へ変化する。これは、木質炭化物の成形体５内の高分子の運動が緩慢になったことと、木質炭化物の成形体５内の温度が下降することにより、木質炭化物の成形体５内の電流値も急に下降したことを示している。このまま木質炭化物の成形体５への被測定物である息、すなわち混合気体の臭気の接触（吹きかけによる接触）を停止していれば、電流値は元の「Ａ」の状態へと戻っていく。
【００２４】
そして、以上のように計測された被計測物である息、すなわち混合気体の臭気の信号を抽出し、出力することになる。具体的には、以上に示す時間毎に木質炭化物の成形体５から得られる、計測された被計測物である息、すなわち混合気体の臭気の信号は、コンピューター６の制御により抽出し、電流値へ変換して電流計（アンメータ）４で表示し、抽出された信号である電流値はコンピューター６より、信号を出力する手段であるプリンター７へ送られ出力される。
【００２５】
以上のように、被計測物である息、すなわち混合気体の臭気による影響が木質炭化物の成形体に及び、その影響が電気特性（電流値）の変化としてあらわれてきており、麻薬類等の薬を使用しているときも、同様に、薬の影響が被計測物である息、すなわち混合気体の臭気にあらわれれば、その影響が木質炭化物の成形体にも及び、電気特性（電流値）の変化として捉えられることができる。
【００２６】
なお、本実施の形態の回路１では、電源２、可変抵抗器３、電流計（アンメータ）４、コンピューター６及びプリンター７を用いる構成を示したが、特にこれらの構成に限定されることなく、木質炭化物の成形体５から被計測物の電気特性を抽出することができれば、他の構成を用いることも可能である。
【００２７】
【発明の効果】
本発明によれば、木質炭化物の成形体へ被測定者の被測定物である息、すなわち混合気体の臭気を接触（吹きかけによる接触）させて、木質炭化物の成形体に電圧を加えて、その木質炭化物の成形体から得られる信号を出力することにより息の状態を計測することができる。そのため、被測定者が麻薬等の薬を使用している場合にも、被測定者の息、すなわち混合気体の臭気により、容易に麻薬等の薬の使用の判明を行える可能性が高くなる。
【図面の簡単な説明】
【図１】本発明である混合気体の臭気の計測装置の回路図である。
【図２】本発明である混合気体の臭気の計測装置の他の回路図である。
【図３】木質炭化物の成形体に流れる電流値と時間との関係を示すグラフ図である。
【図４】従来の口臭測定器の正面図である。
【符号の説明】
１、１０…回路、２…電源、３…可変抵抗器、４…電流計、５…木質炭化物の成形体、６…コンピューター、７…プリンター、８…導線、９…容器
【図１】
2005049168.tif 000003
【図２】
2005049168.tif 000004
【図３】
2005049168.tif 000005
【図４】
2005049168.tif 000006